(57)【要約】      （修正有）【課題】適切な話題の提供を支援できる表示プログラム、表示方法及び表示装置を提供する。【解決手段】コンピュータは、それぞれ時に対応付けられた複数のワードの登録を受け付けて第１のワード群として記憶部に記憶し、それぞれ時に対応付けられた複数のワードの登録を受け付けて第２のワード群として記憶部に記憶する。コンピュータは、記憶部に記憶した第１のワード群のうち指定された時に対応する第３のワード群を表示するとともに、第２のワード群のうち指定された時に対応する第４のワード群を表示する。【選択図】図１
2018132839.tif 000002
【特許請求の範囲】
【請求項１】
それぞれ時に対応付けられた複数のワードの登録を受け付けて第１のワード群として記憶部に記憶し、それぞれ時に対応付けられた複数のワードの登録を受け付けて第２のワード群として記憶部に記憶し、
前記記憶部に記憶した前記第１のワード群のうち指定された時に対応する第３のワード群を表示するとともに、前記第２のワード群のうち指定された前記時に対応する第４のワード群を表示する、
処理をコンピュータに実行させることを特徴とする表示プログラム。
【請求項２】
前記第１のワード群、前記第２のワード群として登録される各ワードについて重み付けの設定がなされた場合に、前記第３のワード群に含まれるワード、前記第４のワード群に含まれるワードの表示態様を設定された重み付けに応じた表示態様で表示する、
ことを特徴とする請求項１に記載の表示プログラム。
【請求項３】
前記第３のワード群又は前記第４のワード群に含まれる特定のワードと同じワードが前記第２のワード群又は前記第１のワード群に含まれる場合に、前記特定のワードを基準とする共通するワードの方向を表示する、
ことを特徴とする請求項１又は２に記載の表示プログラム。
【請求項４】
前記共通するワードの方向は、ワード間を結ぶ結線により表示される、
ことを特徴とする請求項３に記載の表示プログラム。
【請求項５】
前記第１のワード群、前記第２のワード群として登録される各ワードについて重み付けの設定がなされた場合に、前記特定のワードと前記共通するワードの双方は、設定された重み付けが所定の条件を満たすワードの中から選ばれる、
ことを特徴とする請求項３又は４に記載の表示プログラム。
【請求項６】
それぞれ時に対応付けられた一つ又は複数のワードを有する第５のワード群を追加表示する、
ことを特徴とする請求項１〜５のいずれか一項に記載の表示プログラム。
【請求項７】
前記重み付けは、第１のユーザ又は第２のユーザの関心度の高さに応じた重み付けである、
ことを特徴とする請求項２に記載の表示プログラム。
【請求項８】
前記表示態様は、前記各ワードを前記重み付けの設定に応じた大きさで表示する表示態様である、
ことを特徴とする請求項２に記載の表示プログラム。
【請求項９】
前記表示態様は、前記各ワードを所定のカテゴリ別に分類して色分け表示する表示態様である、
ことを特徴とする請求項２に記載の表示プログラム。
【請求項１０】
それぞれ時に対応付けられた複数のワードの登録を受け付けて第１のワード群として記憶部に記憶し、それぞれ時に対応付けられた複数のワードの登録を受け付けて第２のワード群として記憶部に記憶し、
前記記憶部に記憶した前記第１のワード群のうち指定された時に対応する第３のワード群を表示するとともに、前記第２のワード群のうち指定された前記時に対応する第４のワード群を表示する、
処理をコンピュータが実行することを特徴とする表示方法。
【請求項１１】
それぞれ時に対応付けられた複数のワードの登録を受け付けて第１のワード群として記憶部に記憶し、それぞれ時に対応付けられた複数のワードの登録を受け付けて第２のワード群として記憶部に記憶する登録部と、
前記記憶部に記憶した前記第１のワード群のうち指定された時に対応する第３のワード群を表示するとともに、前記第２のワード群のうち指定された前記時に対応する第４のワード群を表示する表示制御部と、
を有することを特徴とする表示装置。
【発明の詳細な説明】
【技術分野】
【０００１】
本発明は、表示プログラム、表示方法及び表示装置に関する。
【背景技術】
【０００２】
従来から、保険外交員などの営業職員は、顧客に対して業務の話をする前に、世間話や雑談をして顧客との信頼関係の構築を行う。例えば、営業職員は、自分自身が興味あることについて情報収集し、情報開示することで顧客の心を開く。また、天気や社会現象、時事は安易な話題となり効果は現れないことが多いため、営業職員は、顧客と共通する話題を見つけて親近感をより深めようと努力する。そのため、営業職員は、顧客との信頼関係構築のために、顧客との共通点に関する情報を収集している。そして、営業職員は、顧客の趣味や趣向、地域などにマッチした話題を提供し、顧客の情報を探り出す話題を提供しようとする。
【０００３】
そこで、営業職員は、顧客に提供する話題についての情報を得るために、様々な情報技術を利用している。こうした情報技術として、例えば、各通話者に対して通話中に好みに適した話題情報を提供する話題情報提供システムが提案されている。
【先行技術文献】
【特許文献】
【０００４】
【特許文献１】特開２００３−１１５９５１号公報
【発明の概要】
【発明が解決しようとする課題】
【０００５】
しかしながら、例えば、人の興味や関心も時とともに変化するため、上述の技術では、必ずしも適切な話題が提供できる訳ではない。例えば、顧客の興味や関心が過去、現在、未来によって変化してしまうことがある。このため、営業職員は、顧客に適切な話題を提供できず、顧客との信頼関係の構築に苦心する場合がある。
【０００６】
一つの側面では、本発明は、適切な話題の提供を支援できる表示プログラム、表示方法及び表示装置を提供することにある。
【課題を解決するための手段】
【０００７】
一つの態様では、表示プログラムは、コンピュータに以下の処理を実行させる。コンピュータは、それぞれ時に対応付けられた複数のワードの登録を受け付けて第１のワード群として記憶部に記憶し、それぞれ時に対応付けられた複数のワードの登録を受け付けて第２のワード群として記憶部に記憶する。コンピュータは、前記記憶部に記憶した前記第１のワード群のうち指定された時に対応する第３のワード群を表示するとともに、前記第２のワード群のうち指定された前記時に対応する第４のワード群を表示する。
【発明の効果】
【０００８】
適切な話題の提供を支援できる。
【図面の簡単な説明】
【０００９】
【図１】図１は、実施例１についての概要を説明するための図である。
【図２】図２は、キーワード抽出方法の一例を説明するための図である。
【図３】図３は、話題提供画面の一例を示す図である。
【図４】図４は、実施例１に係る表示システムの概略的な構成の一例を示す図である。
【図５】図５は、サーバ装置の構成の一例を示す図である。
【図６】図６は、ユーザ情報ＤＢのデータ構成の一例を示す図である。
【図７】図７は、ユーザ情報ＤＢの関心事情報のデータ構成の一例を示す図である。
【図８】図８は、顧客情報ＤＢのデータ構成の一例を示す図である。
【図９】図９は、顧客情報ＤＢの関心事情報のデータ構成の一例を示す図である。
【図１０】図１０は、類似語ＤＢのデータ構成の一例を示す図である。
【図１１】図１１は、地域情報のデータ構成の一例を示す図である。
【図１２】図１２は、家族構成情報のデータ構成の一例を示す図である。
【図１３】図１３は、世の中のキーワード情報のデータ構成の一例を示す図である。
【図１４】図１４は、ユーザＡのワード情報ファイルのデータ構成の一例を示す図である。
【図１５】図１５は、顧客Ｂのワード情報ファイルのデータ構成の一例を示す図である。
【図１６】図１６は、ユーザと顧客の興味キーワードの時系列表示の一例を示す図である。
【図１７】図１７は、共通ワード情報ファイルのデータ構成の一例を示す図である。
【図１８】図１８は、共通の興味キーワードを結線で表示した場合の時系列表示の一例を示す図である。
【図１９】図１９は、世の中のワード情報ファイルのデータ構成の一例を示す図である。
【図２０】図２０は、共通ワード情報ファイルのデータ構成の一例を示す図である。
【図２１】図２１は、世の中のキーワードを追加した場合の時系列表示の一例を示す図である。
【図２２】図２２は、スライドバーを過去に動かした場合の時系列表示の一例を示す図である。
【図２３】図２３は、顧客プロファイル情報表示画面の一例を示す図である。
【図２４】図２４は、実施例１の表示処理の一例を示すフローチャートである。
【図２５】図２５は、興味キーワードとともに画像を表示する場合の時系列表示の一例を示す図である。
【図２６】図２６は、興味キーワードに代えて画像を表示する場合の時系列表示の一例を示す図である。
【図２７】図２７は、表示プログラムを実行するコンピュータの一例を示す図である。
【発明を実施するための形態】
【００１０】
以下、図面に基づいて、本願の開示する表示プログラム、表示方法及び表示装置の実施例を詳細に説明する。なお、本実施例により、開示技術が限定されるものではない。また、以下の実施例は、矛盾しない範囲で適宜組み合わせてもよい。
【００１１】
本実施形態では、ユーザとして保険外交員などの営業職員が、顧客との共通点を視覚化するために利用する場合を例に説明する。
【実施例１】
【００１２】
図１は、実施例１についての概要を説明するための図である。図１に示すように、本実施例に係る表示装置（サーバ装置１２、図４参照）は、例えば、営業職員情報データベース（以下、データベースをＤＢと表す場合がある。）、顧客情報ＤＢ、及び、類似語ＤＢを含む。営業職員情報ＤＢと顧客情報ＤＢには、それぞれ時間付きの情報が含まれている。ここで、時間付きの情報とは、例えば、それぞれ時に対応付けられた興味キーワードであり、「ドラマ」（現在）、「ダイエット」（現在）、「サッカー」（現在）、及び、「舞台」（現在）などである。本実施例に係る表示装置は、営業職員情報ＤＢと顧客情報ＤＢとから、それぞれ時に対応付けられた複数の興味キーワード（以下、単にキーワード、ワードという場合もある。）を抽出して登録する。
【００１３】
本実施例に係る表示装置は、営業職員情報ＤＢから抽出して登録した複数の興味キーワードを、ユーザの登録ワード群（第１のワード群）として記憶部に記憶する。本実施例に係る表示装置は、顧客情報ＤＢから抽出して登録した複数の興味キーワードを、顧客の登録ワード群（第２のワード群）として記憶部に記憶する。本実施例に係る表示装置は、記憶部に記憶したユーザの登録ワード群のうち指定された時に対応するユーザの表示ワード群（第３のワード群）を表示する。本実施例に係る表示装置は、顧客の登録ワード群のうち指定された時に対応する顧客の表示ワード群（第４のワード群）を表示する。本実施例に係る表示装置は、例えば、図１に示すように、ユーザである営業職員が使用する端末に対して、ユーザと顧客の過去、現在、未来の興味キーワードのうち、指定された時として現在の興味キーワードをそれぞれ表示する。このため、本実施例に係る表示装置によれば、例えば、ユーザは、ユーザと顧客との興味キーワードを過去、現在、未来に対応付けて把握することができる。また、本実施例に係る表示装置によれば、人の興味や関心も時とともに変化すること等を考慮することもできるので、適切な話題の提供を支援することができる。
【００１４】
また、本実施例に係る表示装置では、ユーザの登録ワード群、顧客の登録ワード群として登録される各ワードについて重み付けの設定がなされる。この場合に、本実施例に係る表示装置は、ユーザの表示ワード群に含まれるワード、顧客の表示ワード群に含まれるワードの表示態様を、設定された重み付けに応じた表示態様で表示することができる。例えば、本実施例に係る表示装置は、図１に示すように、「ドラマ」、「ダイエット」、「サッカー」、及び、「舞台」などの興味キーワードを、それぞれの重み付けに応じた文字サイズ（フォントの大きさ）で表示することができる。重み付けとしては、例えば、ユーザや顧客の各ワードへの関心度の高さを用いることができる。顧客の各ワードへの関心度については、例えば、ライフイベントや記事に対する顧客の反応の記録などを利用して計算することができる。
【００１５】
また、本実施例に係る表示装置は、ユーザ又は顧客の表示ワード群に含まれる特定のワードと同じワードが、顧客又はユーザの登録ワード群に含まれる場合に、その特定のワードを基準とする共通するワードの方向を表示することができる。例えば、図１に示すように、共通するワードの方向は、ワード間を結ぶ結線により表示することができる。これにより、ユーザは顧客との共通点を視覚的に確認することができ、顧客との共通点が過去、現在、未来のどの時点のものと共通しているかも容易に確認することができる。
【００１６】
図２は、キーワード抽出方法の一例を説明するための図である。図２に示すように、本実施例に係る表示装置は、ユーザの登録ワード群と顧客の登録ワード群との間で共通する興味キーワードについて、単純な文字列の比較ではなく、類似語ＤＢ等を利用して共通点を抽出する。なお、図２に示したキーワード抽出方法の各項目は、一例であり、その他の項目を有していてもよい。
【００１７】
プロフィール情報は、例えば、趣味、地域、家族構成、所有品等についての情報が挙げられる。また、関心事情報は、例えば、話題に対する顧客の反応についての情報が挙げられる。顧客の反応の情報は、例えば、ユーザが顧客を訪問した際に提供した話題に対する顧客の反応の記録から、それぞれ時に対応付けられた複数のキーワードが抽出され、タグ情報化して記憶部に記憶される。
【００１８】
また、趣味の情報は、例えば、過去の趣味及び現在の趣味についての記録を利用できる。趣味の情報は、単純な文字列の比較ではなく、類似語ＤＢ等を利用して共通点が抽出される。具体的には、例えば、「ダイエット」は、「健康」と類似のキーワードとして認識されることにより、共通点として抽出される。
【００１９】
地域の情報は、例えば、現在の住所、出身地、及び、過去に行った場所などの記録を利用できる。地域の情報は、例えば、ユニークな地域コードを使用して共通エリアが抽出される。具体的には、例えば、「大田区」と「品川区」とは、共通エリアとして「東京都」が抽出される。
【００２０】
家族構成の情報は、例えば、要介護の親の有無、単身家族、及び、子育て等の記録を利用できる。家族構成の情報は、例えば、顧客と営業職員の家族構成を比較し、過去、現在、未来を含めて共通点が抽出される。具体的には、例えば、「小学生がいる」と「大学生がいる」という情報から、過去、現在、未来を含む共通点として、「子育て」や「中学受験」というキーワードが抽出される。
【００２１】
所有品の情報は、例えば、営業職員が顧客を訪問した際に目に留まるような「車」や「ゴルフクラブ」などの所有品の記録を利用できる。所有品の情報は、例えば、顧客の所有品と営業職員の趣味とが比較され、共通点が抽出される。
【００２２】
なお、本実施例に係る表示装置は、図１に示した画面上でいずれかのキーワードが選択されると、選択されたキーワードに応じたコンテンツを表示することができる。図３は、話題提供画面の一例を示す図である。図３に示すように、本実施例に係る表示装置は、キーワードでコンテンツを検索し、又は、キーワード及び時情報でアーカイブ検索し、検索結果に応じて話題提供画面を表示する。これにより、営業職員は、例えば、互いの興味や共通点を確認することで、顧客との共通点に関連する話題を顧客に提供することができる。
【００２３】
［システム構成例］
次に、実施例１に係る表示システム１０の一例を説明する。図４は、実施例１に係る表示システムの概略的な構成の一例を示す図である。図４に示すように、表示システム１０は、ユーザ端末１１と、サーバ装置１２とを有する。本実施例では、サーバ装置１２が表示装置に対応する。
【００２４】
表示システム１０は、キーワードを時系列に表示して共通点を視覚化するシステムである。ユーザ端末１１は、サーバ装置１２とネットワークＮを介して通信可能に接続されている。かかるネットワークＮの一態様としては、有線又は無線を問わず、ＬＡＮ（Local  Area  Network）やＶＰＮ（Virtual  Private  Network）、移動体通信網などの任意の種類の通信網を採用できる。
【００２５】
ユーザ端末１１は、ユーザである営業職員が所持する装置である。例えば、ユーザ端末１１は、スマートフォンやタブレット端末などの携帯端末装置である。営業職員は、ユーザ端末１１を用いてサーバ装置１２にアクセスし、顧客のプロフィール情報等を表示させることができる。さらに、営業職員は、時に対応付けられたキーワードを顧客のプロフィール情報等から抽出して表示させ、共通点を視覚的に確認することもできる。
【００２６】
サーバ装置１２は、それぞれ時に対応付けられた複数のワードを表示して共通点を視覚化する表示サービスをユーザに提供するコンピュータである。表示サービスは、１台のコンピュータにより提供してもよく、また、複数台のコンピュータによるコンピュータシステムにより提供してもよい。なお、本実施例では、表示サービスを１台のサーバ装置１２により提供する場合の一例を説明する。
【００２７】
［サーバ装置］
次に、実施例１に係るサーバ装置１２の構成について説明する。図５は、サーバ装置の構成の一例を示す図である。図５に示すように、サーバ装置１２は、通信部２０と、記憶部２１と、制御部２２とを有する。なお、サーバ装置１２は、図５に示す機能部以外にも既知のコンピュータが有する各種の機能部、例えば各種の入力デバイスや音声出力デバイス等の機能部を有することとしてもかまわない。
【００２８】
通信部２０は、他の装置との間で通信制御を行うインタフェースである。通信部２０は、ネットワークＮを介して他の装置と各種情報を送受信する。通信部２０は、例えば、ＮＩＣ（Network  Interface  Card）等によって実現することができる。
【００２９】
記憶部２１は、ハードディスクドライブ（ＨＤＤ：Hard  Disk  Drive）、ＳＳＤ（Solid  State  Drive）、光ディスクなどの記憶装置である。なお、記憶部２１は、ＲＡＭ（Random  Access  Memory）、フラッシュメモリ（Flash  Memory）などのデータを書き換え可能な半導体メモリであってもよい。また、記憶部２１は、データの記憶及び提供を行う外部サーバであってもよい。
【００３０】
記憶部２１は、各種プログラムを記憶する。また、記憶部２１は、各種プログラムで用いられる各種データ、及び、制御部２２での処理に用いる情報を記憶する。記憶部２１は、ユーザ情報ＤＢ３０と、顧客情報ＤＢ３１と、類似語ＤＢ３２とを有する。例えば、ユーザ情報ＤＢ３０や顧客情報ＤＢ３１は、それぞれのプロフィール情報及び関心事情報など、時間付きの情報を記憶する。また、類似語ＤＢ３２は、例えば、地域情報及び家族構成情報などの各種情報を記憶する。
【００３１】
ユーザ情報ＤＢ３０について説明する。図６は、ユーザ情報ＤＢ３０のデータ構成の一例を示す図である。図６に示すように、ユーザ情報ＤＢ３０は、例えば、ユーザＩＤ（Identification）、ユーザ名、生年月日、年齢、地域コード（住所）、住所といった項目を有する。また、ユーザ情報ＤＢ３０は、例えば、地域コード（出身地）、出身地、電話番号、メールアドレス、世帯情報、家族構成、過去の趣味、現在の趣味、及び、関心事情報といった項目を有する。ユーザ情報ＤＢ３０は、例えば、ユーザＩＤごとに１レコードとして記憶する。ユーザＩＤは、ユーザを一意に識別する識別子である。地域コード（住所）は、住所に対応した地域を識別する識別子である。地域コード（出身地）は、出身地に対応した地域を識別する識別子である。世帯情報は、未婚か既婚かを区別する情報である。なお、図６に示したユーザ情報ＤＢ３０の各項目は、一例であり、その他の項目を有していてもよい。
【００３２】
ここで、図７を用いてユーザ情報ＤＢ３０の関心事情報について説明する。図７は、ユーザ情報ＤＢの関心事情報のデータ構成の一例を示す図である。図７に示すように、ユーザ情報ＤＢの関心事情報は、例えば、ユーザＩＤ、ユーザワードＩＤ、キーワード、分類、時系ＩＤ、時、及び、関心度といった項目を有する。ユーザワードＩＤは、ユーザの興味キーワードを一意に識別する識別子である。キーワードは、ユーザの興味キーワードを示す情報である。分類は、キーワードが属する分類を示す情報である。時系ＩＤは、キーワードに対応付けられた、過去、現在、未来などの「時」を識別する識別子であり、例えば、ファイルのタイムスタンプ等から得た情報を用いることができる。時は、キーワードに対応付けられた時系ＩＤが示す時についての情報である。関心度は、キーワードに対するユーザの関心度を示す情報である。なお、図７は、ユーザＡの関心事情報を格納した場合の一例である。また、図７に示した関心事情報の各項目は、一例であり、その他の項目を有していてもよい。
【００３３】
次に、顧客情報ＤＢ３１について説明する。図８は、顧客情報ＤＢ３１のデータ構成の一例を示す図である。図８に示すように、顧客情報ＤＢ３１は、例えば、顧客ＩＤ、顧客名、生年月日、年齢、地域コード（住所）、住所といった項目を有する。また、顧客情報ＤＢ３１は、例えば、地域コード（出身地）、出身地、電話番号、メールアドレス、世帯情報、家族構成、過去の趣味、現在の趣味、所有品、及び、関心事情報といった項目を有する。顧客情報ＤＢ３１は、例えば、顧客ＩＤごとに１レコードとして記憶する。顧客ＩＤは、顧客を一意に識別する識別子である。地域コード（住所）は、住所に対応した地域を識別する識別子である。地域コード（出身地）は、出身地に対応した地域を識別する識別子である。世帯情報は、未婚か既婚かを区別する情報である。なお、図８に示した顧客情報ＤＢ３１の各項目は、一例であり、その他の項目を有していてもよい。
【００３４】
ここで、図９を用いて顧客情報ＤＢ３１の関心事情報について説明する。図９は、顧客情報ＤＢの関心事情報のデータ構成の一例を示す図である。図９に示すように、顧客情報ＤＢの関心事情報は、例えば、顧客ＩＤ、顧客ワードＩＤ、キーワード、分類、時系ＩＤ、時、及び、関心度といった項目を有する。顧客ワードＩＤは、顧客の興味キーワードを一意に識別する識別子である。キーワードは、顧客の興味キーワードを示す情報である。分類は、キーワードの分類を示す情報である。時系ＩＤは、キーワードに対応付けられた、過去、現在、未来などの「時」を識別する識別子であり、例えば、ファイルのタイムスタンプ等から得た情報を用いることができる。時は、キーワードに対応付けられた時系ＩＤが示す時についての情報である。関心度は、キーワードに対する顧客の関心度を示す情報である。関心度は、例えば、ユーザが顧客を訪問した際に提供した話題に対する顧客の反応に基づく情報を用いることができる。なお、図９は、顧客Ｂの関心事情報を格納した場合の一例である。また、図９に示した関心事情報の各項目は、一例であり、その他の項目を有していてもよい。
【００３５】
続いて、類似語ＤＢ３２について説明する。図１０は、類似語ＤＢ３２のデータ構成の一例を示す図である。図１０に示すように、類似語ＤＢ３２は、例えば、ワードＩＤ、キーワード、類似語コード、類似語、及び、類似度といった項目を有する。ワードＩＤは、キーワードを一意に識別する識別子である。キーワードは、ワードＩＤに対応するキーワードを示す情報である。類似語コードは、類似語を識別する識別子である。類似語は、キーワードに対応する類似語を示す情報である。類似度は、対応するキーワードと類似語との類似度を示す情報である。例えば、キーワード「ダイエット」の類似語は、「健康」というワードが対応付けられている。また、キーワードは、複数の類似語と対応付けられてもよい。例えば、キーワード「ピアノ」の類似語は、「音楽」、「コンサート」、「楽器」など複数の類似語が対応付けられている。なお、図１０に示した類似語ＤＢ３２の各項目は、一例であり、その他の項目を有していてもよい。
【００３６】
また、類似語ＤＢ３２は、さらに、地域情報及び家族構成情報を有する。ここで、図１１及び図１２を用いて、地域情報及び家族構成情報について説明する。図１１は、地域情報のデータ構成の一例を示す図である。図１１に示すように、地域情報は、例えば、地域コード、地域名、エリア１、及び、エリア２といった項目を有する。地域コードは、地域を識別する識別子である。地域名は、地域コードに対応する地域の名称を示す情報である。エリア１は、地域コードに対応する地域が含まれるエリアを示す情報である。エリア２は、エリア１よりも広い範囲であり、さらに、エリア３、エリア４、…のように、さらに広い範囲についての情報を含むことができる。また、エリア１，２は、それぞれ複数の地域名及びエリア１を含めた共通エリアとすることができる。例えば、地域名「大田区」と「品川区」とは、エリア１「東京」に含まれる。また、例えば、エリア１の「東京都」とエリア１の「神奈川県」とは、エリア２「関東」に含まれる。なお、地域名「大田区」及び「品川区」のように、エリア１及びエリア２について、どちらも共通する場合には、より狭い範囲である「東京都」を地域情報とすることができる。なお、図１１に示した地域情報の各項目は、一例であり、その他の項目を有していてもよい。
【００３７】
図１２は、家族構成情報のデータ構成の一例を示す図である。図１２に示すように、家族構成情報は、例えば、家族コード、家族構成員、及び、キーワードといった項目を有する。家族コードは、家族構成員を識別する識別子である。家族構成員は、家族コードに対応する家族構成員を示す情報である。キーワードは、家族構成員に対応するキーワードを示す情報である。家族構成員とキーワードとの関係は、例えば、以下のような例が挙げられる。例えば、「単身」には、「仕事、趣味、結婚」が対応付けられる。また、例えば、「配偶者」には、「出産、住宅、仕事、所得税」が対応付けられる。また、例えば、「乳幼児」には、「育児、出産、幼稚園、保育園、住宅」が対応付けられる。また、例えば、「小学生」には、「子育て、習い事、中学受験、住宅」が対応付けられる。また、例えば、「中学生」には、「子育て、部活動、高校受験、習い事」が対応付けられる。また、例えば、「高校生」には、「大学受験、部活動、留学、英会話」が対応付けられる。また、例えば、「大学生」には、「就職、留学、英会話、資格取得」が対応付けられる。また、例えば、「老親」には、「介護、年金、相続、病院、老人ホーム」が対応付けられる。なお、図１２に示した家族構成情報の各項目は、一例であり、その他の項目を有していてもよい。また、各家族構成員に対応するキーワードは、ユーザが自由に選択して設定することもできる。
【００３８】
また、記憶部２１は、さらに、世の中のキーワード情報を記憶してもよい。図１３は、世の中のキーワード情報のデータ構成の一例を示す図である。図１３に示すように、世の中のキーワード情報は、その時々のトレンドワード等であり、キーワードを識別するワードコード、キーワード、分類、時系ＩＤ、時、及び、関心度といった項目を有する。世の中のキーワード情報は、例えば、ワードコードごとに１レコードとして記憶する。なお、図１３に示した世の中のキーワード情報の各項目は、一例であり、その他の項目を有していてもよい。
【００３９】
図５の説明に戻る。制御部２２は、サーバ装置１２を制御する。制御部２２は、例えば、ＣＰＵ（Central  Processing  Unit）やＭＰＵ（Micro  Processing  Unit）等によって、内部の記憶装置に記憶されているプログラムがＲＡＭを作業領域として実行されることにより実現される。また、制御部２２は、例えば、ＡＳＩＣ（Application  Specific  Integrated  Circuit）やＦＰＧＡ（Field  Programmable  Gate  Array）等の集積回路により実現されるようにしてもよい。
【００４０】
制御部２２は、各種の処理手順を規定したプログラムや制御データを格納するための内部メモリを有し、これらによって種々の処理を実行する。制御部２２は、各種のプログラムが動作することにより各種の処理部として機能する。例えば、制御部２２は、登録部５０と、作成部５１、表示制御部５２とを有する。登録部５０は、抽出されたキーワードの登録や、各種情報の入力等を受け付ける。登録部５０は、受け付けた情報等を記憶部２１の対応する各種データベースや各種ファイルに記憶する。作成部５１は、各種ＤＢ及びデータファイル等からデータを取得し、各種データに基づいて、処理に必要なデータファイルや画面データ等を作成する。表示制御部５２は、各種の情報の表示を制御する。
【００４１】
登録部５０は、ユーザ端末１１からアクセスを受け付けると、表示制御部５２に対して、アクセス元のユーザ端末１１に各種の操作画面の情報を送信してアクセス元のユーザ端末１１に操作画面を表示させる指示を出力する。登録部５０は、ユーザ端末１１に表示されたログイン画面において、ユーザＩＤの入力を受け付けて、ユーザのログインを受け付ける。また、登録部５０は、ログインを受け付けると、表示制御部５２に対して、例えば、顧客の選択画面を表示させる指示を出力する。
【００４２】
以下、例えば、ユーザＩＤが「０００１」である「ユーザＡ」がログインし、顧客の選択画面において顧客ＩＤが「０００２」である「顧客Ｂ」を選択した場合を一例として、各機能部を説明する。
【００４３】
登録部５０は、それぞれ時に対応付けられた複数のワードの登録を受け付けて第１のワード群として記憶部２１の作業領域に記憶し、それぞれ時に対応付けられた複数のワードの登録を受け付けて第２のワード群として記憶部２１に記憶する。例えば、登録部５０は、「ユーザＡ」の登録ワード群（第１のワード群）をユーザ情報ＤＢ３０から読み出して記憶部２１の作業領域に記憶し、「顧客Ｂ」の登録ワード群（第２のワード群）を顧客情報ＤＢ３１から読み出して記憶部２１の作業領域に記憶する。
【００４４】
作成部５１は、登録部５０によって登録されたワード群に基づいて、ユーザと顧客のそれぞれのワード情報ファイルを作成する。ここで、図１４を用いて、ユーザのワード情報ファイルについて説明する。図１４は、ユーザＡのワード情報ファイルのデータ構成の一例を示す図である。図１４に示すように、ユーザＡのワード情報ファイルは、ユーザの登録ワード群についての情報を格納する。具体的には、ユーザＡのワード情報ファイルは、例えば、ユーザＩＤ、ユーザワードＩＤ、ユーザの登録ワード、及び、時系ＩＤといった項目を有する。ユーザＩＤは、ユーザを一意に識別する識別子である。なお、ここでは、ユーザＩＤは、ユーザＡのユーザＩＤとなっている。ユーザワードＩＤは、ユーザの登録ワードを一意に識別する識別子である。ユーザの登録ワードは、ユーザの登録ワード群に含まれるワードを示す情報である。時系ＩＤは、ユーザの登録ワードに対応付けられた、過去、現在、未来などの「時」を識別する情報である。なお、図１４に示したユーザＡのワード情報ファイルの各項目は、一例であり、その他の項目を有していてもよい。
【００４５】
次に、図１５を用いて、顧客のワード情報ファイルについて説明する。図１５は、顧客Ｂのワード情報ファイルのデータ構成の一例を示す図である。図１５に示すように、顧客Ｂのワード情報ファイルは、顧客の登録ワード群についての情報を格納する。具体的には、顧客Ｂのワード情報ファイルは、例えば、顧客ＩＤ、顧客ワードＩＤ、顧客の登録ワード、及び、時系ＩＤといった項目を有する。顧客ＩＤは、顧客を一意に識別する識別子である。なお、ここでは、顧客ＩＤは、顧客Ｂの顧客ＩＤとなっている。顧客ワードＩＤは、顧客の登録ワードを一意に識別する識別子である。顧客の登録ワードは、顧客の登録ワード群に含まれるワードを示す情報である。時系ＩＤは、顧客の登録ワードに対応付けられた、過去、現在、未来などの「時」を識別する情報である。なお、図１５に示した顧客Ｂのワード情報ファイルの各項目は、一例であり、その他の項目を有していてもよい。
【００４６】
作成部５１の説明に戻る。作成部５１は、記憶部２１に記憶した第１のワード群のうち指定された時に対応する第３のワード群を表示するとともに、第２のワード群のうち指定された同じ時に対応する第４のワード群を表示する画面データを作成する。例えば、作成部５１は、ユーザＡの登録ワード群と顧客Ｂの登録ワード群に基づいて、それぞれの興味変移を過去、現在、未来に応じた時系列に表示する画面データを作成する。作成部５１は、ユーザＡの登録ワード群と顧客Ｂの登録ワード群のうち、指定された時に対応するワードを、それぞれユーザＡの表示ワード群（第３のワード群）と顧客Ｂの表示ワード群（第４のワード群）として選択する。そして、作成部５１は、ユーザＡと顧客Ｂの興味変移として、それぞれの表示ワード群を時系列に表示する画面データを作成する。
【００４７】
作成部５１は、表示ワード群の選択の基準として、例えば、ユーザ登録ワード群と顧客の登録ワード群とのうち、現在を中央にして表示領域に表示可能な量のワードを、それぞれの表示ワード群として選択する。図１６は、ユーザと顧客の興味キーワードの時系列表示の一例を示す図である。図１６に示すように、例えば、作成部５１は、顧客の興味変移として、ワード１を過去に、ワード２を現在に、ワード３を未来に対応させ、ユーザの興味変移として、ワード３を過去に、ワード１を現在に、ワード２を現在に対応させるように作成する。なお、スライドバーＭ２，Ｍ３は、ユーザによる時の指定を受け付けるものである。
【００４８】
また、作成部５１は、類似語ＤＢ３２を参照して、ユーザＡと顧客Ｂのそれぞれの登録ワード群から、趣味、地域、家族、及び、所有品などについて、共通するキーワードを抽出する。このとき、作成部５１は、ユーザの登録ワード群、及び、顧客の登録ワード群に基づいて、共通するキーワードについての情報を含む、共通ワード情報ファイルを作成してもよい。
【００４９】
図１７は、共通ワード情報ファイルのデータ構成の一例を示す図である。図１７に示すように、共通ワード情報ファイルは、ユーザＡと顧客Ｂに共通するキーワードについての情報として、例えば、顧客ＩＤ、顧客ワードＩＤ、顧客の登録ワード、ユーザＩＤ、ユーザワードＩＤ、及び、ユーザの登録ワードといった項目を有する。なお、図１７に示した共通ワード情報ファイルの各項目は、一例であり、その他の項目を有していてもよい。例えば、共通ワード情報ファイルには、それぞれの登録ワードに対応付けられた時系ＩＤや分類等の情報が含まれていてもよい。
【００５０】
作成部５１は、ユーザ又は顧客の表示ワード群に含まれる特定のワードと同じワードが、ユーザ又は顧客の登録ワード群に含まれる場合に、特定のワードを基準とする共通するワードの方向を画面データに追加することができる。共通するワードの方向は、例えば、ワード間を結ぶ結線により表示される。すなわち、作成部５１は、ユーザと顧客のそれぞれの興味変移を時系列に表示する画面データに、共通するキーワード（登録ワード）同士を結んだ結線を追加することができる。図１８は、共通の興味キーワードを結線で表示した時系列表示の一例を示す図である。図１８に示すように、例えば、作成部５１は、顧客のワード１（過去）とユーザのワード１（現在）との間を線で結ぶ結線と、顧客のワード２（現在）とユーザのワード２（現在）との間を線で結ぶ結線とを画面データに追加する。なお、図１８の画面データには、図１６と同様にスライドバーＭ２，Ｍ３も表示される。
【００５１】
また、作成部５１は、特定のワードと共通するワードの双方を、設定された重み付けが所定の条件を満たすワードの中から選ぶことができる。所定の条件とは、例えば、１０段階の重み付けを設定した場合に、重み付けが５以上であるワードのみを選ぶことができる。これにより、ユーザや顧客がどのキーワードに対して最も興味を示しているかをユーザに理解しやすく表現することができる。
【００５２】
また、作成部５１は、それぞれの興味変移を時系列に表示する画面データについて、それぞれのワードの表示態様を設定された重み付けに応じた表示態様に変更することができる。例えば、作成部５１は、それぞれのワードについて、関心度に応じた文字サイズに更新する。このとき、作成部５１は、各ワードに対する関心度の高さに応じた文字サイズ（フォントの大きさ）を選択して画面データを作成することができる。
【００５３】
作成部５１は、それぞれ時に対応付けられた一つ又は複数のワードを有する第５のワード群を画面データに追加することができる。第５のワード群は、例えば、世の中のキーワード等である。作成部５１は、例えば、それぞれ時に対応付けられた世の中のキーワードを、世の中のキーワード情報から読み出して世の中の登録ワード群として記憶部２１の作業領域に記憶する。そして、作成部５１は、世の中の登録ワード群のうち表示するキーワードを表示ワード群（第５のワード群）として画面データに追加する。
【００５４】
このとき、作成部５１は、世の中の登録ワード群に基づいて、世の中のワード情報ファイルを作成することができる。図１９は、世の中のワード情報ファイルのデータ構成の一例を示す図である。図１９に示すように、世の中のワード情報ファイルは、例えば、世の中のワードＩＤ、世の中の登録ワード、及び、時系ＩＤといった項目を有する。世の中のワードＩＤは、世の中の登録ワードを一意に識別する識別子である。なお、図１９に示した世の中のワード情報ファイルの各項目は、一例であり、その他の項目を有していてもよい。
【００５５】
また、作成部５１は、ユーザの登録ワード群、顧客の登録ワード群、及び、世の中の登録ワード群に基づいて、共通ワード情報ファイルを作成してもよい。図２０は、共通ワード情報ファイルのデータ構成の一例を示す図である。図２０に示すように、共通ワード情報ファイルは、例えば、顧客ＩＤ、顧客ワードＩＤ、顧客の登録ワード、時系ＩＤ（顧客）、ユーザＩＤ、ユーザワードＩＤ、ユーザの登録ワード、及び、時系ＩＤ（ユーザ）といった項目を有する。さらに、共通ワード情報ファイルは、世の中のワードＩＤ、世の中の登録ワード、及び、時系ＩＤ（世の中）といった項目を有する。時系ＩＤ（顧客）は、顧客の登録ワードに対応する時系ＩＤである。時系ＩＤ（ユーザ）は、ユーザの登録ワードに対応する時系ＩＤである。時系ＩＤ（世の中）は、世の中の登録ワードに対応する時系ＩＤである。なお、図２０に示した共通ワード情報ファイルの各項目は、一例であり、その他の項目を有していてもよい。
【００５６】
図２１は、世の中のキーワードを追加した場合の時系列表示の一例を示す図である。図２１に示すように、作成部５１は、図１６に示したユーザと顧客の興味キーワードの時系列表示の画面データに、世の中の表示ワード群をユーザと顧客のそれぞれの表示領域に追加する。例えば、作成部５１は、ワード５を未来に対応する位置に、ワード６を現在に対応する位置に追加する。
【００５７】
また、作成部５１は、登録部５０がユーザによる時を示すスライドバーＭ２，Ｍ３の移動を受け付けると、スライドバーＭ２，Ｍ３の位置に応じて、興味キーワードを表示させる画面データを作成することができる。図２２は、スライドバーを過去に動かした場合の時系列表示の一例を示す図である。図２２に示すように、作成部５１は、現在を中央にして表示領域内に表示した表示ワード群を、時を示すスライドバーＭ２，Ｍ３の位置に応じて移動させることができる。例えば、登録部５０が、ユーザによるスライドバーＭ２，Ｍ３の移動を受け付けると、作成部５１は、スライドバーＭ２，Ｍ３の位置に応じた時に対応するように、表示させるユーザの表示ワード群と顧客の表示ワード群を順次選択し、画面データを作成する。
【００５８】
このとき、スライドバーＭ２，Ｍ３は独立して動かせてもよい。例えば、スライドバーＭ２の位置が現在を示し、スライドバーＭ３の位置が過去を示す場合、作成部５１は、顧客の興味変移については現在に対応付けられた表示ワード群を表示し、ユーザの興味変移については過去に対応付けられた表示ワード群を表示する画面データを作成する。なお、移動により表示領域外に出ていくワードについては表示させなくてよい。また、キーワード同士を結ぶ結線が表示されている場合、移動により表示領域外に出ていく結線は切れていてもよい。
【００５９】
また、作成部５１は、登録部５０がユーザによるキーワードの選択を受け付けると、選択されたキーワードに基づく時代の情報を表示する画面データを作成することができる。
【００６０】
表示制御部５２は、操作画面など各種の画面をユーザ端末１１に表示させる。例えば、表示制御部５２は、入力されたユーザＩＤのユーザが担当する顧客のプロフィール情報やプロファイル情報をユーザ端末１１に表示させる。
【００６１】
表示制御部５２は、記憶部２１に記憶した第１のワード群のうち指定された時に対応する第３のワード群を表示するとともに、第２のワード群のうち指定された同じ時に対応する第４のワード群を表示する。例えば、表示制御部５２は、上記のように作成された画面データをユーザ端末１１に出力し、ユーザ端末１１の画面に表示させる。例えば、表示制御部５２は、ユーザＡの登録ワード群と顧客Ｂの登録ワード群のうち、指定された時に対応するワードを、それぞれユーザＡの表示ワード群（第３のワード群）と顧客Ｂの表示ワード群（第４のワード群）として、顧客プロファイル情報表示画面上に表示する画面データをユーザ端末１１に出力する。
【００６２】
図２３は、顧客プロファイル情報表示画面の一例を示す図である。図２３に示すように、表示制御部５２は、画面データ（例えば図１６）をユーザ端末１１に出力し、ユーザＡの表示ワード群と顧客Ｂの表示ワード群として、顧客プロファイル情報表示画面上に表示させる。
【００６３】
また、表示制御部５２は、顧客とユーザに共通する興味キーワードを結線で表示することもできる。表示制御部５２は、例えば、画面データ（例えば図１８）をユーザ端末１１に出力し、ユーザと顧客に共通する興味キーワード同士を結んだ結線を、図２３の顧客プロファイル情報表示画面上に表示させることができる。
【００６４】
また、表示制御部５２は、変更された画面データをユーザ端末１１に出力し、それぞれのワードの表示態様を設定された重み付けに応じた表示態様に変更することができる。例えば、表示制御部５２は、各ワードに対する関心度の高さに応じた文字サイズ（フォントの大きさ）で、図２３の顧客プロファイル情報表示画面上に表示させることができる。
【００６５】
また、表示制御部５２は、世の中のキーワードを追加して表示させることもできる。例えば、表示制御部５２は、画面データ（例えば図２１）をユーザ端末１１に出力し、図２３の顧客プロファイル情報表示画面の表示領域内に世の中の表示ワード群を時系列に表示させる。
【００６６】
また、図２３の顧客プロファイル情報表示画面上の表示領域の左右にはスライドバーＭ２，Ｍ３が表示されている。ユーザによるスライドバーＭ２，Ｍ３の移動に応じて、表示制御部５２は、画面データ（例えば図２２）をユーザ端末１１に出力し、スライドバーＭ２，Ｍ３の位置に応じた過去、現在、未来の興味キーワードを表示させることができる。
【００６７】
このとき、スライドバーＭ２，Ｍ３は独立して動かせてもよい。例えば、スライドバーＭ２の位置が現在を示し、スライドバーＭ３の位置が過去を示す場合、表示制御部５２は、顧客の興味変移については現在に対応付けられた表示ワード群を表示し、ユーザの興味変移については過去に対応付けられた表示ワード群を表示する。なお、移動により表示領域外に出ていくワードについては表示させなくてよい。また、キーワード同士を結ぶ結線が表示されている場合、移動により表示領域外に出ていく結線は切れていてもよい。
【００６８】
表示制御部５２は、登録部５０がユーザによるキーワードの選択を受け付けると、選択されたキーワードに基づく時代の情報を表示させることができる。
【００６９】
なお、図２３の顧客プロファイル情報表示画面には、その他の情報を表示することもできる。例えば、興味キーワードに関連して、顧客のライフイベントに関する興味を数値化して表示してもよい。ライフイベントとしては、具体的には、例えば、結婚、出産、育児、住宅、大学、及び、介護等が挙げられる。
【００７０】
また、上記のように時系列に表示されたそれぞれの興味キーワードに基づいて、図２３の顧客プロファイル情報表示画面から、例えば、図３に示したように、顧客の関心が高いと予測される話題を提供する画面を表示させることができる。図３に示した話題提供画面では、ユーザの興味キーワードに関連する話題と、顧客の興味キーワードに関連する話題と、ユーザと顧客に共通する興味キーワードに関連する話題とを表示させることができる。これにより、ユーザが顧客を訪問する際に、互いの興味や共通点を確認することで、顧客との共通点に関連する話題を顧客に提供することができる。
【００７１】
［処理の流れ］
次に、本実施例に係るサーバ装置１２の動作について説明する。図２４は、実施例１の表示処理の一例を示すフローチャートである。表示処理では、ログインしたユーザが特定の顧客を選択すると処理が開始される。ここで、例えば、ユーザＩＤが「０００１」である「ユーザＡ」がログインして操作し、顧客ＩＤが「０００２」である「顧客Ｂ」を選択した場合について説明する。
【００７２】
まず、登録部５０は、操作するユーザＡと選択された顧客Ｂについて、ユーザ情報ＤＢ３０及び顧客情報ＤＢ３１から、時に対応付けられた（時間付きの）複数のキーワードを受け付ける。登録部５０は、受け付けた複数のキーワードを、ユーザＡの登録ワード群と顧客Ｂの登録ワード群として、それぞれ記憶部２１に登録する（ステップＳ１１）。このとき、作成部５１は、それぞれの登録ワード群に基づいて、図１４に示したユーザＡのワード情報ファイル、及び、図１５に示した顧客Ｂのワード情報ファイル等を作成することができる。
【００７３】
次に、作成部５１は、ユーザＡの登録ワード群と顧客Ｂの登録ワード群とに基づいて、図１６に示したように、それぞれの興味変移を過去、現在、未来に応じた時系列に表示する画面データを作成する（ステップＳ１２）。
【００７４】
続いて、作成部５１は、類似語ＤＢ３２を参照して、ユーザＡと顧客Ｂのそれぞれの登録ワード群から、趣味、地域、家族、及び、所有品などについて共通するキーワードを抽出する（ステップＳ１３）。このとき、作成部５１は、それぞれの登録ワード群に基づいて、例えば、図１７に示した共通ワード情報ファイルを作成することができる。
【００７５】
作成部５１は、図１８に示したように、それぞれの興味変移を時系列に表示する画面データに、共通するキーワード同士を結んだ結線を追加する（ステップＳ１４）。
【００７６】
作成部５１は、それぞれの興味変移を時系列に表示する画面データにおいて、それぞれのキーワードについて、関心度に応じた文字サイズに更新する（ステップＳ１５）。
【００７７】
作成部５１は、図１３に示した世の中のキーワード情報を参照し、それぞれ時に対応付けられた複数のキーワードを抽出して登録を受け付け、世の中の登録ワード群として記憶部２１に記憶させる。作成部５１は、世の中の登録ワード群を画面データに追加する（ステップＳ１６）。このとき、作成部５１は、世の中の登録ワード群に基づいて、図１９に示した世の中のワード情報ファイルを作成することができる。なお、世の中のキーワードを追加で表示しない場合は、ステップＳ１６の処理を省略する。
【００７８】
表示制御部５２は、ユーザＡと顧客Ｂの興味変移について、指定された時に対応する表示ワード群を表示する画面データ（例えば図１６）を、ユーザ端末１１に出力する（ステップＳ１７）。そして、表示制御部５２は、ユーザＡの登録ワード群と顧客Ｂの登録ワード群のうち、指定された時に対応するキーワードを、それぞれユーザＡの表示ワード群（第３のワード群）と顧客Ｂの表示ワード群（第４のワード群）として表示させる。また、世の中のキーワードを追加で表示する場合、表示制御部５２は、世の中の登録ワード群のうち、指定された時に対応するキーワードを世の中の表示ワード群（第５のワード群）として追加して表示させる。世の中の表示ワード群は、例えば、それぞれユーザＡの表示ワード群と、顧客Ｂの表示ワード群とに追加して表示される。
【００７９】
ここで、表示制御部５２は、登録部５０がユーザによるスライドバーＭ２，Ｍ３の移動を受け付けると、対応する画面データ（例えば図２２）をユーザ端末１１に出力する。そして、表示制御部５２は、スライドバーＭ２，Ｍ３の位置が示す時に対応するように、ユーザの表示ワード群と顧客の表示キーワード群の表示を変更する（ステップＳ１８）。また、世の中のキーワードを追加で表示する場合、ユーザの表示ワード群、顧客の表示キーワード群、及び、世の中の表示ワード群の表示を変更する。これにより、時に対応付けられたキーワードを表示して共通点を視覚化できる。
【００８０】
さらに、登録部５０がユーザによるキーワードの選択を受け付けると、表示制御部５２は、対応する画面データをユーザ端末１１に出力し、選択されたキーワードに基づく時代の情報を表示させ（ステップＳ１９）、処理を終了する。
【００８１】
また、上記のように時系列に表示されたそれぞれの興味キーワードに基づいて、例えば、図３に示したように、顧客の関心が高いと予測される話題について画面に表示させることができる。図３に示した話題提供画面では、ユーザの興味キーワードに関連する話題と、顧客の興味キーワードに関連する話題と、ユーザと顧客に共通する興味キーワードに関連する話題とを表示させることができる。これにより、ユーザが顧客を訪問する際に、互いの興味や共通点を確認することで、顧客との共通点に関連する話題を顧客に提供することができる。
【００８２】
［効果］
このように、サーバ装置１２は、それぞれ時に対応付けられた複数のワードの登録を受け付けて第１のワード群として記憶部２１に記憶し、それぞれ時に対応付けられた複数のワードの登録を受け付けて第２のワード群として記憶部２１に記憶する。また、サーバ装置１２は、記憶部２１に記憶した第１のワード群のうち指定された時に対応する第３のワード群を表示するとともに、第２のワード群のうち指定された同じ時に対応する第４のワード群を表示することができる。その結果、サーバ装置１２は、適切な話題の提供を支援できる。
【００８３】
また、サーバ装置１２では、第１のワード群、第２のワード群として登録される各ワードについて重み付けの設定がなされた場合に、第３のワード群に含まれるワード、第４のワード群に含まれるワードの表示態様を設定された重み付けに応じた表示態様で表示できる。その結果、サーバ装置１２は、それぞれのワードに対する重み付けを視覚化できる。
【００８４】
また、サーバ装置１２では、第３のワード群又は第４のワード群に含まれる特定のワードと同じワードが第２のワード群又は第１のワード群に含まれる場合に、特定のワードを基準とする共通するワードの方向を表示することができる。その結果、サーバ装置１２は、共通するワードをユーザに解りやすく視覚化して表示することができる。
【００８５】
また、サーバ装置１２では、共通するワードの方向は、ワード間を結ぶ結線により表示することができる。その結果、サーバ装置１２は、共通するワードをユーザにさらに解りやすく視覚化して表示することができる。
【００８６】
また、サーバ装置１２では、第１のワード群、第２のワード群として登録される各ワードについて重み付けの設定がなされた場合に、特定のワードと共通するワードの双方は、設定された重み付けが所定の条件を満たすワードの中から選んで表示することができる。その結果、サーバ装置１２は、共通するワードをユーザに解りやすく視覚化して表示することができる。
【００８７】
また、サーバ装置１２では、それぞれ時に対応付けられた一つ又は複数のワードを有する第５のワード群を追加表示することができる。その結果、サーバ装置１２は、時に対応付けられたキーワードを世の中の情報等とも対比させて、共通点を視覚化できる。
【００８８】
また、サーバ装置１２では、重み付けとして、第１のユーザ又は第２のユーザの関心度の高さに応じた重み付けを設定することができる。その結果、サーバ装置１２は、それぞれのワードに対する関心の度合いを視覚化できる。
【００８９】
また、サーバ装置１２では、表示態様として、各ワードを重み付けの設定に応じた大きさで表示することができる。その結果、サーバ装置１２は、それぞれのワードに対する重み付けをユーザに解りやすく視覚化できる。
【００９０】
また、図示した各部の各構成要素は、必ずしも物理的に図示の如く構成されていることを要しない。すなわち、各部の分散・統合の具体的形態は図示のものに限られず、その全部又は一部を、各種の負荷や使用状況等に応じて、任意の単位で機能的又は物理的に分散・統合して構成することができる。例えば、登録部５０と作成部５１を統合させてもよい。また、図示した各処理は、上記の順番に限定されるものではなく、処理内容を矛盾させない範囲において、同時に実施してもよく、順序を入れ替えて実施してもよい。
【００９１】
さらに、各装置で行われる各種処理機能は、ＣＰＵ（又はＭＰＵ、Micro  Controller  Unit（ＭＣＵ））等のマイクロ・コンピュータ）上で、その全部又は任意の一部を実行するようにしてもよい。また、各種処理機能は、ＣＰＵ（又はＭＰＵ、ＭＣＵ等のマイクロ・コンピュータ）で解析実行されるプログラム上、又はワイヤードロジックによるハードウェア上で、その全部又は任意の一部を実行するようにしてもよいことは言うまでもない。
【実施例２】
【００９２】
さて、これまで開示の装置に関する実施例について説明したが、開示の技術は上述した実施例以外にも、種々の異なる形態にて実施されてよいものである。そこで、以下では、本発明に含まれる他の実施例を説明する。
【００９３】
上記の実施例１では、過去、現在、未来についての情報を時の情報として対応付ける例について説明した。しかし、これに限定されるものではない。例えば、年月日情報そのもの、年齢、年代（１０代、２０代など）、及び、属性(学生、社会人、独身など）についての情報を時の情報として対応付けてもよい。これにより、ユーザによる選択の幅が広がり、より適切な話題の提供を支援することができる。
【００９４】
また、上記の実施例１では、表示態様として、それぞれのキーワードを設定された重み付けに応じた文字サイズで表示する例について説明した。しかし、これに限定されるものではない。例えば、各ワードを重み付けの設定に応じた色の濃淡や色の種類で表示することができる。これにより、表示領域内に収まるキーワードの量を均一にしながら、それぞれのキーワードに対する関心度の高さを反映させることができる。
【００９５】
また、上記の実施例１では、設定された重み付けに応じた表示態様で表示する例について説明した。しかし、これに限定されるものではない。例えば、重み付けとは別に、各ワードを所定のカテゴリ別に分類して色分け表示することもできる。カテゴリとしては、例えば、趣味、又は、世の中の流行などである。これにより、趣味に関するキーワードなのか、世の中の流行なのかなどをユーザに認識させることが可能となる。
【００９６】
このように、サーバ装置１２では、表示態様として、各ワードを所定のカテゴリ別に分類して色分け表示することができる。その結果、サーバ装置１２は、それぞれのワードが属するカテゴリをユーザに解りやすく視覚化できる。
【００９７】
また、上記の実施例１では、世の中のキーワード情報から抽出したキーワードを追加して表示する例について説明した。しかし、これに限定されるものではない。例えば、世の中のキーワードとして、ニュースや流行キーワードから抽出したキーワードを追加して表示することもできる。流行キーワードは、例えば、ツイッター（Twitter）（登録商標）やブログ、ソーシャル・ネットワーキング・サービス（ＳＮＳ）等の情報サービスから抽出してもよい。これにより、世の中のトレンドを反映するキーワードと、ユーザや顧客の興味変移とを対比させることができる。
【００９８】
また、上記の実施例１では、興味キーワードを時系列に表示する例について説明した。しかし、これに限定されるものではない。例えば、興味キーワードとともに関連する画像を表示することもできる。図２５は、興味キーワードとともに画像を表示する場合の時系列表示の一例を示す図である。図２５に示すように、それぞれのキーワードに関連する画像を、各キーワードの上下左右などの近傍に表示することができる。これにより、ユーザに対して興味キーワードを視覚的により理解しやすく表示することができる。
【００９９】
また、例えば、興味キーワードに代えて関連する画像を表示することもできる。図２６は、興味キーワードに代えて画像を表示する場合の時系列表示の一例を示す図である。図２６に示すように、それぞれのキーワードに関連する画像を、各キーワードに代えて表示することができる。これにより、ユーザに対して興味キーワードを視覚的に理解しやすくし、かつ、効率的に表示領域に表示することができる。
【０１００】
［表示プログラム］
また、上記の各実施例で説明した各種の処理は、あらかじめ用意されたプログラムをパーソナルコンピュータやワークステーションなどのコンピュータシステムで実行することによって実現することもできる。そこで、以下では、上記の各実施例と同様の機能を有するプログラムを実行するコンピュータシステムの一例を説明する。図２７は、表示プログラムを実行するコンピュータの一例を示す図である。
【０１０１】
図２７に示すように、コンピュータ３００は、ＣＰＵ３１０、ＨＤＤ３２０、ＲＡＭ３３０を有する。これら３１０〜３３０の各部は、バス３４０を介して接続される。
【０１０２】
ＨＤＤ３２０には上記各実施例のサーバ装置１２の各処理部と同様の機能を発揮する表示プログラム３２０Ａがあらかじめ記憶される。例えば、上記実施例の登録部５０、作成部５１、及び、表示制御部５２と同様の機能を発揮する表示プログラム３２０Ａを記憶させる。なお、表示プログラム３２０Ａについては、適宜分離してもよい。
【０１０３】
また、ＨＤＤ３２０は、各種データを記憶する。例えば、ＨＤＤ３２０は、ＯＳや各種データを記憶する。
【０１０４】
そして、ＣＰＵ３１０が、表示プログラム３２０ＡをＨＤＤ３２０から読み出して実行することで、実施例の登録部５０、作成部５１、及び、表示制御部５２と同様の動作を実行する。すなわち、表示プログラム３２０Ａは、実施例の登録部５０、作成部５１、及び、表示制御部５２と同様の動作を実行する。
【０１０５】
なお、上記した表示プログラム３２０Ａについては、必ずしも最初からＨＤＤ３２０に記憶させることを要しない。例えば、コンピュータ３００に挿入されるフレキシブルディスク（ＦＤ）、ＣＤ−ＲＯＭ（Compact  Disk  Read  Only  Memory）、ＤＶＤ（Digital  Versatile  Disk）、光磁気ディスク、ＩＣカードなどの「可搬用の物理媒体」にプログラムを記憶させておく。そして、コンピュータ３００がこれらからプログラムを読み出して実行するようにしてもよい。
【０１０６】
さらには、公衆回線、インターネット、ＬＡＮ、ＷＡＮなどを介してコンピュータ３００に接続される「他のコンピュータ（又はサーバ）」などにプログラムを記憶させておく。そして、コンピュータ３００がこれらからプログラムを読み出して実行するようにしてもよい。
【０１０７】
以上、本実施例を含む実施の形態に関し、さらに以下の付記を開示する。
【０１０８】
（付記１）それぞれ時に対応付けられた複数のワードの登録を受け付けて第１のワード群として記憶部に記憶し、それぞれ時に対応付けられた複数のワードの登録を受け付けて第２のワード群として記憶部に記憶し、
前記記憶部に記憶した前記第１のワード群のうち指定された時に対応する第３のワード群を表示するとともに、前記第２のワード群のうち指定された前記時に対応する第４のワード群を表示する、
処理をコンピュータに実行させることを特徴とする表示プログラム。
【０１０９】
（付記２）前記第１のワード群、前記第２のワード群として登録される各ワードについて重み付けの設定がなされた場合に、前記第３のワード群に含まれるワード、前記第４のワード群に含まれるワードの表示態様を設定された重み付けに応じた表示態様で表示する、
ことを特徴とする付記１に記載の表示プログラム。
【０１１０】
（付記３）前記第３のワード群又は前記第４のワード群に含まれる特定のワードと同じワードが前記第２のワード群又は前記第１のワード群に含まれる場合に、前記特定のワードを基準とする共通するワードの方向を表示する、
ことを特徴とする付記１又は２に記載の表示プログラム。
【０１１１】
（付記４）前記共通するワードの方向は、ワード間を結ぶ結線により表示される、
ことを特徴とする付記３に記載の表示プログラム。
【０１１２】
（付記５）前記第１のワード群、前記第２のワード群として登録される各ワードについて重み付けの設定がなされた場合に、前記特定のワードと前記共通するワードの双方は、設定された重み付けが所定の条件を満たすワードの中から選ばれる、
ことを特徴とする付記３又は４に記載の表示プログラム。
【０１１３】
（付記６）それぞれ時に対応付けられた一つ又は複数のワードを有する第５のワード群を追加表示する、
ことを特徴とする付記１〜５のいずれか一つに記載の表示プログラム。
【０１１４】
（付記７）前記重み付けは、第１のユーザ又は第２のユーザの関心度の高さに応じた重み付けである、
ことを特徴とする付記２に記載の表示プログラム。
【０１１５】
（付記８）前記表示態様は、前記各ワードを前記重み付けの設定に応じた大きさで表示する表示態様である、
ことを特徴とする付記２に記載の表示プログラム。
【０１１６】
（付記９）前記表示態様は、前記各ワードを所定のカテゴリ別に分類して色分け表示する表示態様である、
ことを特徴とする付記２に記載の表示プログラム。
【０１１７】
（付記１０）それぞれ時に対応付けられた複数のワードの登録を受け付けて第１のワード群として記憶部に記憶し、それぞれ時に対応付けられた複数のワードの登録を受け付けて第２のワード群として記憶部に記憶し、
前記記憶部に記憶した前記第１のワード群のうち指定された時に対応する第３のワード群を表示するとともに、前記第２のワード群のうち指定された前記時に対応する第４のワード群を表示する、
処理をコンピュータが実行することを特徴とする表示方法。
【０１１８】
（付記１１）前記第１のワード群、前記第２のワード群として登録される各ワードについて重み付けの設定がなされた場合に、前記第３のワード群に含まれるワード、前記第４のワード群に含まれるワードの表示態様を設定された重み付けに応じた表示態様で表示する、
ことを特徴とする付記１０に記載の表示方法。
【０１１９】
（付記１２）前記第３のワード群又は前記第４のワード群に含まれる特定のワードと同じワードが前記第２のワード群又は前記第１のワード群に含まれる場合に、前記特定のワードを基準とする共通するワードの方向を表示する、
ことを特徴とする付記１０又は１１に記載の表示方法。
【０１２０】
（付記１３）前記共通するワードの方向は、ワード間を結ぶ結線により表示される、
ことを特徴とする付記１２に記載の表示方法。
【０１２１】
（付記１４）前記第１のワード群、前記第２のワード群として登録される各ワードについて重み付けの設定がなされた場合に、前記特定のワードと前記共通するワードの双方は、設定された重み付けが所定の条件を満たすワードの中から選ばれる、
ことを特徴とする付記１２又は１３に記載の表示方法。
【０１２２】
（付記１５）それぞれ時に対応付けられた一つ又は複数のワードを有する第５のワード群を追加表示する、
ことを特徴とする付記１０〜１４のいずれか一つに記載の表示方法。
【０１２３】
（付記１６）前記重み付けは、第１のユーザ又は第２のユーザの関心度の高さに応じた重み付けである、
ことを特徴とする付記１１に記載の表示方法。
【０１２４】
（付記１７）前記表示態様は、前記各ワードを前記重み付けの設定に応じた大きさで表示する表示態様である、
ことを特徴とする付記１１に記載の表示方法。
【０１２５】
（付記１８）前記表示態様は、前記各ワードを所定のカテゴリ別に分類して色分け表示する表示態様である、
ことを特徴とする付記１１に記載の表示方法。
【０１２６】
（付記１９）それぞれ時に対応付けられた複数のワードの登録を受け付けて第１のワード群として記憶部に記憶し、それぞれ時に対応付けられた複数のワードの登録を受け付けて第２のワード群として記憶部に記憶する登録部と、
前記記憶部に記憶した前記第１のワード群のうち指定された時に対応する第３のワード群を表示するとともに、前記第２のワード群のうち指定された前記時に対応する第４のワード群を表示する表示制御部と、
を有することを特徴とする表示装置。
【０１２７】
（付記２０）前記第１のワード群、前記第２のワード群として登録される各ワードについて重み付けの設定がなされた場合に、前記第３のワード群に含まれるワード、前記第４のワード群に含まれるワードの表示態様を設定された重み付けに応じた表示態様で表示する、
ことを特徴とする付記１９に記載の表示装置。
【０１２８】
（付記２１）前記第３のワード群又は前記第４のワード群に含まれる特定のワードと同じワードが前記第２のワード群又は前記第１のワード群に含まれる場合に、前記特定のワードを基準とする共通するワードの方向を表示する、
ことを特徴とする付記１９又は２０に記載の表示装置。
【０１２９】
（付記２２）前記共通するワードの方向は、ワード間を結ぶ結線により表示される、
ことを特徴とする付記２１に記載の表示装置。
【０１３０】
（付記２３）前記第１のワード群、前記第２のワード群として登録される各ワードについて重み付けの設定がなされた場合に、前記特定のワードと前記共通するワードの双方は、設定された重み付けが所定の条件を満たすワードの中から選ばれる、
ことを特徴とする付記２１又は２２に記載の表示装置。
【０１３１】
（付記２４）それぞれ時に対応付けられた一つ又は複数のワードを有する第５のワード群を追加表示する、
ことを特徴とする付記１９〜２３のいずれか一つに記載の表示装置。
【０１３２】
（付記２５）前記重み付けは、第１のユーザ又は第２のユーザの関心度の高さに応じた重み付けである、
ことを特徴とする付記２０に記載の表示装置。
【０１３３】
（付記２６）前記表示態様は、前記各ワードを前記重み付けの設定に応じた大きさで表示する表示態様である、
ことを特徴とする付記２０に記載の表示装置。
【０１３４】
（付記２７）前記表示態様は、前記各ワードを所定のカテゴリ別に分類して色分け表示する表示態様である、
ことを特徴とする付記２０に記載の表示装置。
【符号の説明】
【０１３５】
１０  表示システム
１１  ユーザ端末
１２  サーバ装置
２０  通信部
２１  記憶部
２２  制御部
３０  ユーザ情報ＤＢ
３１  顧客情報ＤＢ
３２  類似語ＤＢ
５０  登録部
５１  作成部
５２  表示制御部
Ｎ  ネットワーク
【図１】
2018132839.tif 000003
【図２】
2018132839.tif 000004
【図３】
2018132839.tif 000005
【図４】
2018132839.tif 000006
【図５】
2018132839.tif 000007
【図６】
2018132839.tif 000008
【図７】
2018132839.tif 000009
【図８】
2018132839.tif 000010
【図９】
2018132839.tif 000011
【図１０】
2018132839.tif 000012
【図１１】
2018132839.tif 000013
【図１２】
2018132839.tif 000014
【図１３】
2018132839.tif 000015
【図１４】
2018132839.tif 000016
【図１５】
2018132839.tif 000017
【図１６】
2018132839.tif 000018
【図１７】
2018132839.tif 000019
【図１８】
2018132839.tif 000020
【図１９】
2018132839.tif 000021
【図２０】
2018132839.tif 000022
【図２１】
2018132839.tif 000023
【図２２】
2018132839.tif 000024
【図２３】
2018132839.tif 000025
【図２４】
2018132839.tif 000026
【図２５】
2018132839.tif 000027
【図２６】
2018132839.tif 000028
【図２７】
2018132839.tif 000029